(57)【要約】【課題】ＵＲＬ、メールアドレス等の入力操作なく複数のユーザから多くの有用な情報が得られる文字放送受信機能内蔵の携帯電話機を提供する。【解決手段】呼処理部１０はアンテナ１１および通信処理部１２を有し、発呼／着呼処理、インターネットへの接続処理を行う。文字放送受信部２０はアンテナ２１、チューナ２２、増幅器２３、デコーダ２４を有し、文字放送信号１１０を受信する。中央処理装置３１は文字放送受信機能付き携帯電話機２００の全般的な制御並びに音声処理部３２、表示処理部３３、操作処理部３４の管理制御を行う。音声処理部３２はスピーカ３５、マイク３６と接続し、音声の入出力を行う。表示処理部３３はディスプレイ３７と接続し、ＷＷＷブラウザやＴＶ画面の出力制御を行う。キーボード３８は情報を入力し、操作処理部３４により中央処理装置３１を介して任意の制御を実行する。【選択図】　　　図２
2004112673.tif 000002
【特許請求の範囲】
【請求項１】
文字放送受信機能を有する携帯電話機であって、
テレビ局、ラジオ局から送信する文字放送用の文字データとしてＨＴＭＬ（Ｈｙｐｅｒ　Ｔｅｘｔ　Ｍａｒｋｕｐ　Ｌａｎｇｕａｇｅ）形式のデータを使用し、前記ＨＴＭＬのＡタグにＵＲＬ、電話番号、メールアドレスを予め設定することにより、前記ＵＲＬを入力しないでホームページにアクセスし、前記電話番号を入力しないで電話をかけ、前記メールアドレスを入力しないでメールの送信を行うことを特徴とする携帯電話機。
【請求項２】
前記文字放送の文字データとして、前記ＨＴＭＬのＦＯＲＭタグを利用することにより、前記携帯電話機から一定のフォーマットで必要なデータを設定しデータの送信を行うことを特徴とする請求項１記載の携帯電話機。
【請求項３】
文字放送を含む情報を発信しているサイトである情報提供サイトと、この情報提供サイトからの文字放送信号を受信する携帯電話機と、前記情報提供サイト及び前記携帯電話機に接続する加入者網と、この加入者網及び前記情報提供サイトに接続するインターネットとを備え、
前記情報提供サイトは、前記文字放送信号を含む情報を送信する文字放送送信装置と、前記加入者網に接続されている加入者端末と、前記インターネットに接続されているＷＷＷサーバ及びメールサーバとを有し、
前記文字放送送信装置から送信された前記文字放送信号は前記携帯電話機で受信され、受信したＨＴＭＬ形式の文字放送信号に対して前記携帯電話を操作することにより、前記加入者網を介して前記加入者端末に電話をかけ、前記インターネットを介して前記ＷＷＷサーバのホームページにアクセスし、前記メールサーバに対してメールを送信することを特徴とする携帯電話網システム。
【請求項４】
前記ＷＷＷサーバ、前記メールサーバは前記情報提供サイト内の設置に限定されることはなく、前記インターネットを介して別の場所に設置されることを特徴とする請求項３記載の携帯電話網システム。
【請求項５】
前記携帯電話機が、
第１のアンテナ及び通信処理部を有し、携帯電話での通話のための発呼、着呼処理及び前記インターネットへの接続処理を行う呼処理部と；
第２のアンテナ、チューナ、増幅器、デコーダを有し、テレビまたはラジオから送信される文字放送信号を受信する文字放送受信部と；
スピーカ及びマイクに接続し、音声の入出力を行う音声処理部と；
ディスプレイに接続し、前記ディスプレイに対してＷＷＷブラウザやＴＶ画面の出力制御を行う表示処理部と；
情報を入力するキーボードと；
入力した情報により任意の制御を実行する操作処理部と；
前記音声処理部、前記表示処理部、前記操作処理部の状態の管理や制御を行う中央処理装置と；
を備えたことを特徴とする請求項３又は請求項４記載の携帯電話網システム。
【請求項６】
前記チューナが、
音声信号を受信した場合は、前記増幅器、前記中央処理装置を介して、前記音声処理部から前記スピーカにより音声出力を行い、文字放送信号を受信した場合、前記デコーダは前記文字放送信号を文字データに変換し、前記中央処理装置を介して前記表示処理部に出力することを特徴とする請求項５記載の携帯電話網システム。
【請求項７】
前記表示処理部が、
文字データを解析し、ＨＴＭＬ形式ではない従来の文字データの場合は、単なる文字データとして前記ディスプレイに表示し、
前記ＨＴＭＬ形式の文字データの場合は、前記ディスプレイにＷＷＷブラウザにて前記ＨＴＭＬ形式の文字データ表示を行うことを特徴とする請求項５記載の携帯電話網システム。
【請求項８】
前記ＨＴＭＬ形式の文字データが、
前記ＷＷＷブラウザに表示されている場合は、前記キーボードで操作することによって前記ＷＷＷブラウザの画面の移動や項目の選択、実行の制御を行うことを特徴とする請求項７記載の携帯電話網システム。
【請求項９】
前記ＷＷＷブラウザ上に「リンク先ホームページ名」が表示され、前記キーボードでこの「リンク先ホームページ名」を選択しクリックした場合、前記操作処理部は前記表示処理部に問い合わせを行い、「リンク先ＵＲＬ」を獲得し、
前記「リンク先ＵＲＬ」が「ｈｔｔｐ：／／〜」で記述されている場合、指定された「リンク先ＵＲＬ」のホームページにアクセスし、前記操作処理部は前記中央処理装置を介して、前記通信処理部に前記「リンク先ＵＲＬ」で指定されたホームページにアクセスするように要求を行い、該当ホームページの情報を取得し、前記表示処理部は取得した情報を前記ディスプレイの前記ＷＷＷブラウザ上で表示することを特徴とする請求項８記載の携帯電話網システム。
【請求項１０】
前記ＷＷＷブラウザ上に「メール宛先名」が表示され、前記キーボードでこの「メール宛先名」を選択しクリックした場合、前記操作処理部は前記表示処理部に問い合わせを行い、「メールアドレス」を獲得し、
前記「メールアドレス」は「ｍａｉｌｔｏ：」で記述されているために、指定された「メールアドレス」を送信先メールアドレスに設定して、メール編集画面を表示することを特徴とする請求項８記載の携帯電話網システム。
【請求項１１】
前記ＷＷＷブラウザ上に「電話宛先名」が表示され、前記キーボードでこの「電話宛先名」を選択しクリックした場合、前記操作処理部は前記表示処理部に問い合わせを行い、「電話番号」を獲得し、
前記「電話番号」は「ｔｅｌ：」で記述されているために、指定された「電話番号」への発呼処理を行い、前記操作処理部は前記中央処理装置を介して前記通信処理部に指定された「電話番号」で発呼するように要求を行い、前記通信処理部は前記加入者網を介して発呼処理を実行することを特徴とする請求項８記載の携帯電話網システム。
【発明の詳細な説明】
【０００１】
【発明の属する技術分野】
本発明は携帯電話機及びこれを用いた携帯電話網システムに関し、特にＨＴＭＬ形式による文字放送受信機能を有した携帯電話機及びこれを用いた携帯電話網システムに関する。
【０００２】
【従来の技術】
近年、携帯電話機は通話機能だけではなく電子メールの送受信を行ったり、インターネットへアクセスしてホームページを参照したりすることが可能となり、様々なサービスを提供している。
【０００３】
また、テレビ局やラジオ局では自社のホームページやメールアドレスを持つ会社が増えてきており、テレビやラジオの放送でホームページのＵＲＬやメールアドレスを視聴者に公開している。
【０００４】
しかし、ホームページのＵＲＬやメールアドレスなどの情報が提供されても、ユーザはパソコンや携帯電話にその情報を入力して使用する必要があり、さらにテレビ局やラジオ局で電話リクエストなどを行う場合も同様、指定された電話番号を入力して電話をかける必要がある。
【０００５】
テレビやラジオの放送では、文字放送サービスによりホームページのＵＲＬやメールアドレスの情報が提供されているが、従来文字放送を受信する端末では単に文字列としてのデータを表示する機能しか持ち合わせていないため、この文字放送でホームページのＵＲＬやメールアドレス、電話番号といった情報が提供されていてもその情報を利用するためにはパソコンや携帯電話などでその情報を入力して使用しなければならない。
【０００６】
また、テレビ局やラジオ局では、アンケート、投票やリクエストをホームページ上で提供しているサイトも多くあるが、各ホームページのサイトにアクセスしてから情報を入力し設定しなければならない。
【０００７】
従来の携帯電話機は、文字放送によるデータによって携帯電話から特定の電話番号に電話をかけることが可能であるが、ホームページやメールの送信のような機能を利用することができない（例えば、特許文献１参照。）。
【０００８】
また、「ｈｔｔｐ：／／」を認識したときにＵＲＬ文字列と認識してホームページにアクセスする方法や、「ｍａｉｌｔｏ：」を認識したときにメールを送信する方法が考えられているが、単なる文字データによる情報提供だけでは、例えばＦＯＲＭタグを利用したアンケート、投票やリクエストなどの機能を利用することができない（例えば、特許文献２参照。）。
【０００９】
さらにまた、文字放送データにＨＴＭＬ形式のデータを利用して大容量・高品位の情報を獲得する技術が記載されているが、情報提供者からの不特定ユーザへの一方通行の情報提供だけである（例えば、特許文献３参照。）。
【００１０】
【特許文献１】
特開２００１−１８６５６８号公報（第２−４頁、図４）
【特許文献２】
特開２０００−１８１５９６号公報（第２−３頁、図２）
【特許文献３】
特開平１１−５５１９８号公報（第２−４頁）
【００１１】
【発明が解決しようとする課題】
上述した従来の携帯電話機は、ＵＲＬを入力することにより任意のホームページにアクセスするので、間違ったＵＲＬ入力により希望しているホームページにアクセスできないという欠点を有している。
【００１２】
メールアドレスを入力することによりメールの送信先を指定するので、メールアドレスの入力を間違えると別の宛先にメールを送信してしまうという欠点を有している。
【００１３】
間違った電話番号を入力すると、希望しない電話番号に電話をかけてしまうという欠点を有している。
【００１４】
複数のユーザから有用な情報を入手できないという欠点を有している。
【００１５】
アンケート、投票やリクエストなどは一旦ホームページにアクセスしてから情報を設定する必要があるので、操作が煩雑になるという欠点を有している。
【００１６】
有料なインターネットに接続するので、情報入手に費用がかかるという欠点を有している。
【００１７】
従来の文字放送の画面では少ない情報しか提供できないという欠点を有している。
【００１８】
本発明の目的は、テレビ局、ラジオ局から送信する文字放送用の文字データとしてＨＴＭＬ形式のデータを使用することにより、ＨＴＭＬのＡタグにＵＲＬ、電話番号、メールアドレスを設定することで、文字放送を受信した携帯電話でＵＲＬを入力しないでホームページにアクセスしたり、電話番号を入力しないで電話をかけたり、送信先のメールアドレスを入力しないでメールの送信ができ、かつＨＴＭＬのＦＯＲＭタグを利用することにより、複数のユーザが携帯電話から多くの有用な情報を簡易操作により得られる携帯電話機及びこれを用いた携帯電話網システムを提供することにある。
【００１９】
【課題を解決するための手段】
本発明の第１の携帯電話機及びこれを用いた携帯電話網システムは、
文字放送受信機能を有する携帯電話機であって、
テレビ局、ラジオ局から送信する文字放送用の文字データとしてＨＴＭＬ（Ｈｙｐｅｒ　Ｔｅｘｔ　Ｍａｒｋｕｐ　Ｌａｎｇｕａｇｅ）形式のデータを使用し、前記ＨＴＭＬのＡタグにＵＲＬ、電話番号、メールアドレスを予め設定することにより、前記ＵＲＬを入力しないでホームページにアクセスし、前記電話番号を入力しないで電話をかけ、前記メールアドレスを入力しないでメールの送信を行うことを特徴としている。
【００２０】
本発明の第２の携帯電話機及びこれを用いた携帯電話網システムは、前記第１の携帯電話機及びこれを用いた携帯電話網システムにおいて、
前記文字放送の文字データとして、前記ＨＴＭＬのＦＯＲＭタグを利用することにより、前記携帯電話機から一定のフォーマットで必要なデータを設定しデータの送信を行うことを特徴としている。
【００２１】
本発明の第３の携帯電話機及びこれを用いた携帯電話網システムは、
文字放送を含む情報を発信しているサイトである情報提供サイトと、この情報提供サイトからの文字放送信号を受信する携帯電話機と、前記情報提供サイト及び前記携帯電話機に接続する加入者網と、この加入者網及び前記情報提供サイトに接続するインターネットとを備え、
前記情報提供サイトは、前記文字放送信号を含む情報を送信する文字放送送信装置と、前記加入者網に接続されている加入者端末と、前記インターネットに接続されているＷＷＷサーバ及びメールサーバとを有し、
前記文字放送送信装置から送信された前記文字放送信号は前記携帯電話機で受信され、受信したＨＴＭＬ形式の文字放送信号に対して前記携帯電話を操作することにより、前記加入者網を介して前記加入者端末に電話をかけ、前記インターネットを介して前記ＷＷＷサーバのホームページにアクセスし、前記メールサーバに対してメールを送信することを特徴としている。
【００２２】
本発明の第４の携帯電話機及びこれを用いた携帯電話網システムは、前記第３の携帯電話機及びこれを用いた携帯電話網システムにおいて、
前記ＷＷＷサーバ、前記メールサーバは前記情報提供サイト内の設置に限定されることはなく、前記インターネットを介して別の場所に設置されることを特徴としている。
【００２３】
本発明の第５の携帯電話機及びこれを用いた携帯電話網システムは、前記第３または第４の携帯電話機及びこれを用いた携帯電話網システムにおいて、
前記携帯電話機が、
第１のアンテナ及び通信処理部を有し、携帯電話での通話のための発呼、着呼処理及び前記インターネットへの接続処理を行う呼処理部と；
第２のアンテナ、チューナ、増幅器、デコーダを有し、テレビまたはラジオから送信される文字放送信号を受信する文字放送受信部と；
スピーカ及びマイクに接続し、音声の入出力を行う音声処理部と；
ディスプレイに接続し、前記ディスプレイに対してＷＷＷブラウザやＴＶ画面の出力制御を行う表示処理部と；
情報を入力するキーボードと；
入力した情報により任意の制御を実行する操作処理部と；
前記音声処理部、前記表示処理部、前記操作処理部の状態の管理や制御を行う中央処理装置と；
を備えたことを特徴としている。
【００２４】
本発明の第６の携帯電話機及びこれを用いた携帯電話網システムは、前記第５の携帯電話機及びこれを用いた携帯電話網システムにおいて、
前記チューナが、
音声信号を受信した場合は、前記増幅器、前記中央処理装置を介して、前記音声処理部から前記スピーカにより音声出力を行い、文字放送信号を受信した場合、前記デコーダは前記文字放送信号を文字データに変換し、前記中央処理装置を介して前記表示処理部に出力することを特徴としている。
【００２５】
本発明の第７の携帯電話機及びこれを用いた携帯電話網システムは、前記第５の携帯電話機及びこれを用いた携帯電話網システムにおいて、
前記表示処理部が、
文字データを解析し、ＨＴＭＬ形式ではない従来の文字データの場合は、単なる文字データとして前記ディスプレイに表示し、
前記ＨＴＭＬ形式の文字データの場合は、前記ディスプレイにＷＷＷブラウザにて前記ＨＴＭＬ形式の文字データ表示を行うことを特徴としている。
【００２６】
本発明の第８の携帯電話機及びこれを用いた携帯電話網システムは、前記第７の携帯電話機及びこれを用いた携帯電話網システムにおいて、
前記ＨＴＭＬ形式の文字データが、
前記ＷＷＷブラウザに表示されている場合は、前記キーボードで操作することによって前記ＷＷＷブラウザの画面の移動や項目の選択、実行の制御を行うことを特徴としている。
【００２７】
本発明の第９の携帯電話機及びこれを用いた携帯電話網システムは、前記第８の携帯電話機及びこれを用いた携帯電話網システムにおいて、
前記ＷＷＷブラウザ上に「リンク先ホームページ名」が表示され、前記キーボードでこの「リンク先ホームページ名」を選択しクリックした場合、前記操作処理部は前記表示処理部に問い合わせを行い、「リンク先ＵＲＬ」を獲得し、
前記「リンク先ＵＲＬ」が「ｈｔｔｐ：／／〜」で記述されている場合、指定された「リンク先ＵＲＬ」のホームページにアクセスし、前記操作処理部は前記中央処理装置を介して、前記通信処理部に前記「リンク先ＵＲＬ」で指定されたホームページにアクセスするように要求を行い、該当ホームページの情報を取得し、前記表示処理部は取得した情報を前記ディスプレイの前記ＷＷＷブラウザ上で表示することを特徴としている。
【００２８】
本発明の第１０の携帯電話機及びこれを用いた携帯電話網システムは、前記第８の携帯電話機及びこれを用いた携帯電話網システムにおいて、
前記ＷＷＷブラウザ上に「メール宛先名」が表示され、前記キーボードでこの「メール宛先名」を選択しクリックした場合、前記操作処理部は前記表示処理部に問い合わせを行い、「メールアドレス」を獲得し、
前記「メールアドレス」は「ｍａｉｌｔｏ：」で記述されているために、指定された「メールアドレス」を送信先メールアドレスに設定して、メール編集画面を表示することを特徴としている。
【００２９】
本発明の第１１の携帯電話機及びこれを用いた携帯電話網システムは、前記第８の携帯電話機及びこれを用いた携帯電話網システムにおいて、
前記ＷＷＷブラウザ上に「電話宛先名」が表示され、前記キーボードでこの「電話宛先名」を選択しクリックした場合、前記操作処理部は前記表示処理部に問い合わせを行い、「電話番号」を獲得し、
前記「電話番号」は「ｔｅｌ：」で記述されているために、指定された「電話番号」への発呼処理を行い、前記操作処理部は前記中央処理装置を介して前記通信処理部に指定された「電話番号」で発呼するように要求を行い、前記通信処理部は前記加入者網を介して発呼処理を実行することを特徴としている。
【００３０】
【発明の実施の形態】
次に、本発明の実施の形態について図面を参照して説明する。
【００３１】
図１は本発明の携帯電話機及びこれを用いた携帯電話網システムの文字放送受信形態を示すシステムブロック図である。
【００３２】
図１に示す本実施の形態は、テレビ局やラジオ局などの文字放送を含む情報を発信しているサイトである情報提供サイト１００と、この情報提供サイト１００からの文字放送信号１１０を受信する文字放送受信機能付き携帯電話機２００と、これら情報提供サイト１００及び文字放送受信機能付き携帯電話機２００に接続する加入者網３００と、加入者網３００及び情報提供サイト１００に接続するインターネット４００とから構成されている。
【００３３】
なお、情報提供サイト１００は、文字放送信号１１０を含む情報を送信する文字放送送信装置１０１と、加入者網３００に接続されている加入者端末１０２と、インターネット４００に接続されているＷＷＷサーバ１０３及びメールサーバ１０４とを有している。
【００３４】
文字放送送信装置１０１から送信された文字放送信号１１０は文字放送受信機能付き携帯電話機２００で受信される。受信したＨＴＭＬ形式の文字放送信号１１０に対して、文字放送受信機能付き携帯電話機２００を操作することにより、ユーザは加入者網３００を介して加入者端末１０２に電話をかけたり、インターネット４００を介してＷＷＷサーバ１０３のホームページにアクセスしたり、メールサーバ１０４に対してメールを送信することが可能となる。
【００３５】
なお、ＷＷＷサーバ１０３、メールサーバ１０４は情報提供サイト１００内の設置に限定されることはなく、インターネット４００を介して別の場所に設置されることも可能である。
【００３６】
図２は図１の文字放送受信機能付き携帯電話機の機能構成を示すブロック図である。
【００３７】
図２を参照すると、呼処理部１０はアンテナ１１および通信処理部１２から構成され、携帯電話での通話のための発呼／着呼処理およびインターネット４００への接続処理を行う。
【００３８】
次に文字放送受信部２０はアンテナ２１、チューナ２２、増幅器２３、デコーダ２４から構成され、テレビまたはラジオから送信される文字放送信号１１０を受信する。中央処理装置３１は文字放送受信機能付き携帯電話機２００の全般的な制御を行っており、音声処理部３２、表示処理部３３、操作処理部３４などの状態の管理や制御を行う。
【００３９】
音声処理部３２はスピーカ３５およびマイク３６に接続しており、音声の入出力を行う。表示処理部３３はディスプレイ３７に接続しており、ディスプレイ３７に対してＷＷＷブラウザやＴＶ画面の出力制御を行う。
【００４０】
またキーボード３８は情報を入力し、入力された情報は操作処理部３４により中央処理装置３１を介して任意の制御を実行する。
【００４１】
次に、図１および図２を参照して本実施の形態の動作をより詳細に説明する。
【００４２】
文字放送のデータは情報提供サイト１００の文字放送送信装置１０１から文字放送信号１１０として送信され、文字放送受信機能付き携帯電話機２００にて受信される。
【００４３】
ここで文字放送送信装置１０１から送信される文字放送のデータは、従来の文字データではなく、ＨＴＭＬ形式の文字データを使用する。
【００４４】
文字放送送信装置１０１から送信された文字放送信号１１０は、図２の文字放送受信部２０のアンテナ２１を介してチューナ２２で受信される。チューナ２２はテレビ放送またはラジオ放送のいずれの受信機能に対応していても構わないが、文字放送信号１１０を受信できるものとする。
【００４５】
チューナ２２が音声信号を受信した場合は、増幅器２３、中央処理装置３１を介して、音声処理部３２からスピーカ３５により音声出力を行う。チュ−ナ２２が文字放送信号１１０を受信した場合は、デコーダ２４は文字放送信号１１０を文字データに変換し、中央処理装置３１を介して表示処理部３３に出力する。
【００４６】
表示処理部３３では文字データを解析し、ＨＴＭＬ形式ではない従来の文字データの場合は、単なる文字データとしてディスプレイ３７に表示する。ＨＴＭＬ形式の文字データの場合、ディスプレイ３７にＷＷＷブラウザにてＨＴＭＬ形式の文字データ表示を行う。ＨＴＭＬ形式の文字データがＷＷＷブラウザに表示されている場合は、キーボード３８で操作することによってＷＷＷブラウザの画面の移動や項目の選択／実行の制御を行う。
【００４７】
次に本発明におけるＨＴＭＬ形式の構文に関連付けられた携帯電話のサービスに関して説明する。まずＨＴＭＬ構文のＡタグ使用時の処理方法に関して説明する。
【００４８】
（１）次のように記述されたＨＴＭＬ構文を使用する場合：
＜Ａ　ＨＲＥＦ＝”リンク先ＵＲＬ”＞「リンク先のホームページ名」＜／Ａ＞（リンク先ＵＲＬとは「ｈｔｔｐ：／／〜」で記述されるホームページのアドレスを示している。）
ＷＷＷブラウザ上には、「リンク先ホームページ名」が表示される。キーボード３８でこの「リンク先ホームページ名」を選択しクリックした場合、操作処理部３４は表示処理部３３に問い合わせを行い、「リンク先ＵＲＬ」を獲得する。
【００４９】
「リンク先ＵＲＬ」が「ｈｔｔｐ：／／〜」で記述されている場合、指定された「リンク先ＵＲＬ」のホームページにアクセスする。操作処理部３４は中央処理装置３１を介して、通信処理部１２に「リンク先ＵＲＬ」で指定されたホームページにアクセスするように要求を行い、該当ホームページの情報を取得する。
【００５０】
ホームページの情報を取得すると、表示処理部３３は取得した情報をディスプレイ３７にＷＷＷブラウザで表示する。従って、文字放送で使用するＨＴＭＬ形式の文字データに予めリンク先のＵＲＬ名が指定されているため、ユーザはＵＲＬを入力しないでも、希望するホームページにアクセスすることができる。
【００５１】
（２）次のように記述されたＨＴＭＬ構文を使用する場合：
＜Ａ　ＨＲＥＦ＝”ｍａｉｌｔｏ：メールアドレス”＞「メール宛先名」＜／Ａ＞
（「ｍａｉｌｔｏ：」以降に記述されている文字列をメールアドレスと認識する。）
ＷＷＷブラウザ上には、「メール宛先名」が表示される。キーボード３８でこの「メール宛先名」を選択しクリックした場合、操作処理部３４は表示処理部３３に問い合わせを行い、「メールアドレス」を獲得する。本「メールアドレス」は「ｍａｉｌｔｏ：」で記述されているために、指定された「メールアドレス」を送信先メールアドレスに設定して、メール編集画面を表示する。送付するメールのタイトル名や本文などはユーザが入力する必要があるが、メールアドレスは文字放送で使用するＨＴＭＬ形式の文字データに含まれているので、メール送信先のメールアドレスは入力する必要がなく、メールの送信先を間違えて送信するといった誤動作は発生しなくなる。
【００５２】
（３）次のように記述されたＨＴＭＬ構文を使用する場合：
＜Ａ　ＨＲＥＦ＝”ｔｅｌ：電話番号”＞「電話宛先名」＜／Ａ＞
（「ｔｅｌ：」はＨＴＭＬ構文には定義されていないが、「ｔｅｌ：」という記述がある場合は指定された「電話番号」に発呼するものとする。）
ＷＷＷブラウザ上には、「電話宛先名」が表示される。キーボード３８でこの「電話宛先名」を選択しクリックした場合、操作処理部３４は表示処理部３３に問い合わせを行い、「電話番号」を獲得する。本「電話番号」は「ｔｅｌ：」で記述されているために、指定された「電話番号」への発呼処理を行う。操作処理部３４は中央処理装置３１を介して、通信処理部１２に指定された「電話番号」で発呼するように要求を行い、通信処理部１２は加入者網３００を介して発呼処理を実行する。
【００５３】
文字放送で使用するＨＴＭＬ形式の文字データに予め電話番号が指定されているため、ユーザは電話番号を入力しないでも、希望する宛先に電話をかけることが可能となる。
【００５４】
次に文字放送のデータにＦＯＲＭタグを利用した場合の使用方法を説明する。ＨＴＭＬの構文ではＦＯＲＭタグは次のように記述する。
【００５５】
＜ＦＯＲＭ　ＭＡＴＨＯＤ＝”メソッド”　ＡＣＴＩＯＮ＝”ＵＲＬ”＞
・・・
・・・
＜ＩＮＰＵＴ　ＴＹＰＥ＝”ＳＵＢＭＩＴ”　ＶＡＬＵＥ＝”実行”＞
＜／ＦＯＲＭ＞
「・・・」で記述されている部分には、ＩＮＰＵＴタグで指定されたテキストボックス、チェックボックス、ラジオボタン、リセットボタンやＳＥＬＥＣＴタグで指定された項目の選択、ＴＥＸＴＡＲＥＡタグで指定された複数行テキストの入力などの記述を行うことが可能であるが、本発明ではこの使用方法は問わない。
【００５６】
上記例では「・・・」で記述された表示以外に、「実行」と記述されたボタンがＷＷＷブラウザに表示される。キーボード３８でこの「実行」ボタンをクリックした場合、操作処理部３４は表示処理部３３に問い合わせを行い、ＦＯＲＭタグで入力／設定している情報を獲得する。
【００５７】
次に操作処理部３４は中央処理装置３１を介して、通信処理部１２に対してＦＯＲＭタグのＭＥＴＨＯＤで指定されているフォーマットのデータを作成して、ＡＣＴＩＯＮで指定されている「ＵＲＬ」に対してアクセスを行い、ユーザがＦＯＲＭタグで入力／設定した情報を送信するように要求を行う。
【００５８】
文字放送で使用するＨＴＭＬ形式の文字データに予めＦＯＲＭタグで必要な情報を設定しておけば、情報提供サイト１００が必要とする情報を予め定義することが可能となる。ユーザは指定されたフォーマットによる情報の入力を行うことができるために、アンケート、投票やリクエストといったサービスを容易に利用することが可能となる。
【００５９】
ホームページにアクセスしてからアンケート、投票やリクエストといったサービスを提供しているサイトは存在しているが本発明を利用すると、文字放送によるＨＴＭＬ形式の文字データで定められたフォーマットに予めデータを設定しておいて、データを送信するときだけインターネット４００にアクセスすればよいことになる。
【００６０】
なお図２により文字放送受信機能付き携帯電話機２００の動作の流れを記すと、文字放送受信部２０はテレビまたはラジオの受信機を示しており、チューナ２２はアンテナ２１を経由して、テレビまたはラジオからの送信される電波を受信する。文字放送信号１１０を受信した場合、デコーダ２４は文字放送信号１１０を文字データに変換して中央処理装置３１から表示処理部３３に送出する。表示処理部３３は文字データを解析し、その文字データがＨＴＭＬ形式のデータの場合、ディスプレイ３７に受信したＨＴＭＬ形式の文字データをＷＷＷブラウザで表示する。ＷＷＷブラウザを操作することによって、携帯電話のサービスに関連付けられた機能を実行することが可能であり、ＨＴＭＬのＡタグで指定された項目を実行することにより、次のようなサービスを提供することができる。
【００６１】
▲１▼ＵＲＬを入力することなく、任意のホームページにアクセスする。
【００６２】
▲２▼宛先のメールアドレスを入力することなく、任意のメールアドレスを指定して、電子メールを送信する。
【００６３】
▲３▼電話番号を入力することなく、任意の電話番号に発呼する。
また、ＨＴＭＬのＦＯＲＭタグを使用して、次のようなサービスが提供できる。
【００６４】
▲４▼情報提供者が同一のフォーマットで複数のユーザにアンケート、投票やリクエストいったサービスを提供できる。
【００６５】
上述の通り本発明は、文字放送を使用したテレビ放送またはラジオ放送の受信機を内蔵した携帯電話において、テレビ放送やラジオ放送から送信する文字放送信号をＨＴＭＬ形式で記述している。これにより、携帯電話で文字放送信号を受信した際に、文字データがＨＴＭＬ形式の場合、携帯電話のＷＷＷブラウザにＨＴＭＬ形式で表示し、ＨＴＭＬで記述されている機能を携帯電話のサービスと関連付けることによって、文字放送の文字データの表示だけでなく、文字放送の文字データによる電話の発呼、ホームページのアクセス、メールの送信など携帯電話のサービスを提供することができる。
【００６６】
【発明の効果】
以上説明したように、本発明の携帯電話機は、ＨＴＭＬのＡタグにて「ｈｔｔｐ：／／〜」で指定されている項目を選択することによって、ＵＲＬを入力しなくても任意のホームページにアクセスすることができるので、ＵＲＬの入力ミスにより間違ったホームページへのアクセスを防止するという効果を有している。
【００６７】
ＨＴＭＬのＡタグにて「ｍａｉｌｔｏ：」で指定されている項目を選択することによって、メールアドレスを入力しなくてもメールの送信先を指定することができるので、メールアドレスの入力を間違えて別の宛先にメールを送信してしまうことを防止するという効果を有している。
【００６８】
ＨＴＭＬのＡタグにて「ｔｅｌ：」で指定されている項目を選択することによって、電話番号を入力しなくても電話番号に電話をかけることが可能となるので、間違った電話番号を入力して、希望しない電話番号に電話をかけてしまうことを防止するという効果を有している。
【００６９】
ＨＴＭＬのＦＯＲＭタグを利用することによって、文字放送の情報提供サイトは必要な情報だけに対して入力可能なフォーマットを作成し、複数のユーザから有用な情報を入手できるという効果を有している。
【００７０】
アンケート、投票やリクエストなどは一旦ホームページにアクセスしてから情報を設定する必要があったが、文字放送によるＨＴＭＬ形式のＦＯＲＭタグの文字データで定められたフォーマットに予めデータを設定しておくことにより、データ送信時にインターネットにアクセスするだけで実施できるという効果を有している。
【００７１】
文字放送のデータを利用することにより、ユーザは有料なインターネットに接続しなくても無線の電波を利用して、無料の情報を入手することができるという効果を有している。
【００７２】
従来の文字放送の画面では少ない情報しか提供できなかったが、文字放送のデータをＨＴＭＬ形式でＷＷＷブラウザに表示するので、より多くの情報を提供することが可能になるという効果を有している。
【図面の簡単な説明】
【図１】本発明の携帯電話機及びこれを用いた携帯電話網システムの文字放送受信形態を示すシステムブロック図である。
【図２】図１の文字放送受信機能付き携帯電話機の機能構成を示すブロック図である。
【符号の説明】
１０　　呼処理部
１１　　アンテナ
１２　　通信処理部
２０　　文字放送受信部
２１　　アンテナ
２２　　チューナ
２３　　増幅器
２４　　デコーダ
３１　　中央処理装置
３２　　音声処理部
３３　　表示処理部
３４　　操作処理部
３５　　スピーカ
３６　　マイク
３７　　ディスプレイ
３８　　キーボード
１００　　情報提供サイト
１０１　　文字放送送信装置
１０２　　加入者端末
１０３　　ＷＷＷサーバ
１０４　　メールサーバ
１１０　　文字放送信号
２００　　文字放送受信機能付き携帯電話機
３００　　加入者網
４００　　インターネット
【図１】
2004112673.tif 000003
【図２】
2004112673.tif 000004